(57)【要約】  複数の送信ポイントを利用して通信を行う場合であっても通信を適切に行うために、本開示のユーザ端末の一態様は、タイミングアドバンスを適用してＵＬ送信を行う送信部と、複数の送受信ポイントに対してＵＬ送信を行う場合、タイミングアドバンス用に設定される第１のオフセットと送受信ポイント毎に設定される第２のオフセットに基づいて、各送受信ポイントに対するＵＬ送信に適用するタイミングアドバンスを決定する制御部と、を有する。
2020121497.tif 000002
【特許請求の範囲】
【請求項１】
タイミングアドバンスを適用してＵＬ送信を行う送信部と、
複数の送受信ポイントに対してＵＬ送信を行う場合、タイミングアドバンス用に設定される第１のオフセットと送受信ポイント毎に設定される第２のオフセットに基づいて、各送受信ポイントに対するＵＬ送信に適用するタイミングアドバンスを決定する制御部と、を有することを特徴とするユーザ端末。
【請求項２】
送受信ポイント毎にタイミングアドバンスグループが設定され、前記第１のオフセットは前記タイミングアドバンスグループ毎に設定されることを特徴とする請求項１に記載のユーザ端末。
【請求項３】
前記制御部は、同一のタイミングアドバンスグループに含まれる複数の送受信ポイントに対して異なるタイミングアドバンスの適用が許容されることを特徴とする請求項２に記載のユーザ端末。
【請求項４】
前記制御部は、前記複数の送受信ポイントに対して共通のタイミングアドバンスコマンド及び共通のタイムアライメント用のタイマの少なくとも一つを適用することを特徴とする請求項１から請求項３のいずれかに記載のユーザ端末。
【請求項５】
前記制御部は、前記複数の送受信ポイント毎に異なるタイミングアドバンスコマンド及び異なるタイムアライメント用のタイマの少なくとも一つを適用することを特徴とする請求項１から請求項３のいずれかに記載のユーザ端末。
【請求項６】
タイミングアドバンスを適用してＵＬ送信を行う工程と、
複数の送受信ポイントに対してＵＬ送信を行う場合、タイミングアドバンス用に設定される第１のオフセットと送受信ポイント毎に設定される第２のオフセットに基づいて、各送受信ポイントに対するＵＬ送信に適用するタイミングアドバンスを決定する工程と、を有することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、ＬＴＥ  Ｒｅｌ.１４以前）では、タイミングアドバンスに基づいてＵＬ送信のタイミングが制御される。例えば、ＵＥ毎にそれぞれ設定されたタイミングアドバンス用のオフセットに基づいてＵＬ送信のタイミングを制御する。これにより、ＵＬの受信側（例えば、基地局）において、異なるＵＥから送信されるＵＬ信号の受信タイミングをそろえることができる。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システムでは、複数の送受信ポイント（multi  TRP）を利用して通信を行うことが想定されている。例えば、ＵＥは、複数の送受信ポイントに対してＵＬ送信を行う。【０００７】
しかし、複数の送受信ポイントに対してＵＬ送信を行う場合、各送受信ポイントへのＵＬ送信に適用するタイミングアドバンス（ＴＡ）をどのように制御するかが問題となる。各送受信ポイントへのＵＬ送信に対してタイミングアドバンスが適切に設定されない場合、複数の送受信ポイントを利用した通信の品質が劣化するおそれがある。【０００８】
本開示はかかる点に鑑みてなされたものであり、複数の送信ポイントを利用して通信を行う場合であっても通信を適切に行うことが可能なユーザ端末及び無線通信方法を提供することを目的の一つとする。
【課題を解決するための手段】
【０００９】
本開示の一態様に係るユーザ端末は、タイミングアドバンスを適用してＵＬ送信を行う送信部と、複数の送受信ポイントに対してＵＬ送信を行う場合、タイミングアドバンス用に設定される第１のオフセットと送受信ポイント毎に設定される第２のオフセットに基づいて、各送受信ポイントに対するＵＬ送信に適用するタイミングアドバンスを決定する制御部と、を有することを特徴とする。
【発明の効果】
【００１０】
本開示の一態様によれば、複数の送信ポイントを利用して通信を行う場合であっても通信を適切に行うことができる。
【図面の簡単な説明】
【００１１】
【図１】図１は、複数のＴＲＰを利用した通信の一例を示す図である。
【図２】図２は、複数のＴＲＰを利用する場合のタイミングアドバンスの適用の一例を示す図である。
【図３】図３は、タイミングアドバンスコマンドが含まれるＭＡＣ制御要素の一例を示す図である。
【図４】図４は、複数のＴＲＰを利用する場合のタイミングアドバンスの適用の他の例を示す図である。
【図５】図５は、複数のＴＲＰを利用する場合のタイミングアドバンスの適用の他の例を示す図である。
【図６】図６は、タイミングアドバンスコマンドが含まれるＭＡＣ制御要素の他の例を示す図である。
【図７】図７Ａ及び図７Ｂは、タイミングアドバンスコマンドが含まれるＭＡＣ制御要素の他の例を示す図である。
【図８】図８Ａ及び図８Ｂは、複数のＴＲＰを利用する場合のタイミングアドバンスの適用の他の例を示す図である。
【図９】図９は、一実施形態に係る無線通信システムの概略構成の一例を示す図である。
【図１０】図１０は、一実施形態に係る基地局の構成の一例を示す図である。
【図１１】図１１は、一実施形態に係るユーザ端末の構成の一例を示す図である。
【図１２】図１２は、一実施形態に係る基地局及びユーザ端末のハードウェア構成の一例を示す図である。
【発明を実施するための形態】
【００１２】
将来の無線通信システム（例えば、Ｒｅｌ．１６以降）では、複数の送受信ポイント（ＴＲＰ）を利用して通信を行うことが検討されている。一例として、複数の送信ポイントからそれぞれノンコヒーレントなＤＬ（例えば、ＰＤＳＣＨ）送信及びＵＬ（例えば、ＰＵＳＣＨ）送信の少なくとも一方が行われることが検討されている。本明細書において、送受信ポイントは、送信ポイント、受信ポイント、パネル（ｐａｎｅｌ）、又はセルと読み替えられてもよい。
【００１３】
図１では、ＵＥが複数の送受信ポイント（ここでは、ＴＲＰ＃１とＴＲＰ＃２の２つ）に対してそれぞれＵＬ送信を行う場合の一例を示している。例えば、ＵＥは、ビームフォーミング（ＢＦ：Beam  Forming）を利用して各ＵＬ送信を制御する。ビームフォーミングはアナログビーム（例えば、マルチアナログビーム）を適用してもよいし、デジタルビームを適用してもよいし、アナログビームとデジタルビームを組み合わせて適用してもよい。
【００１４】
図１に示すように、複数のＴＲＰを利用する場合にはＵＥと各ＴＲＰ間との距離がそれぞれ異なるケースも生じる。例えば、あるＴＲＰがマクロセルに相当し、他のＴＲＰがスモールセルに相当する場合、各ＴＲＰとＵＥ間の距離が異なる。
【００１５】
既存のＬＴＥシステムでは、ＵＬ（Uplink）チャネル及び／又はＵＬ信号（ＵＬチャネル／信号）の送信タイミングは、タイミングアドバンス（ＴＡ：Timing  Advance）によって調整される。異なるユーザ端末（ＵＥ：User  Terminal）からのＵＬチャネル／信号の受信タイミングは、無線基地局（ＴＲＰ：Transmission  and  Reception  Point、ｇＮＢ：gNodeB等ともいう）側で調整される。
【００１６】
このように、ＵＥから複数のＴＲＰに対してＵＬ送信を行う場合、タイミングアドバンスをどのように制御するかが問題となる。
【００１７】
本発明者等は、本開示の一態様として、複数のＴＲＰに対してＵＬ送信を行う場合のタイミングアドバンスについて検討し、複数のＴＲＰに対するタイミングアドバンスの制御方法を着想した。
【００１８】
以下、本実施の形態について、図面を参照して詳細に説明する。なお、以下に示す送信ポイントは、パネル及び送受信ポイントの少なくとも一方に読み替えてもよい。なお、以下で説明する各態様は、単独で適用してもよいし、適宜組み合わせて適用してもよい。以下の説明では、ＴＲＰは、ＤＭＲＳポートグループ、コードワード（ＣＷ）、ＰＤＣＣＨ構成（例えば、PDCCH-config）、ＰＤＳＣＨ構成（PDSCH-config）、又はサービングセル構成（ServingCellConfig）に読み替えてもよい。
【００１９】
（第１の態様）
第１の態様では、初期接続におけるタイミングアドバンス（例えば、Initial  TA）、又はランダムアクセスチャネル（例えば、ＰＲＡＣＨ）送信におけるタイミングアドバンスを適用するＵＬ送信制御について説明する。
【００２０】
＜ＴＡオフセット＞
ＵＥは、ＴＡオフセット（例えば、第１のオフセット）に基づいてＵＬ送信の送信タイミングを制御する。ＴＡオフセット（例えば、NTA_offset）は、ネットワーク（例えば、基地局）から上位レイヤシグナリング（例えば、ＲＲＣシグナリング又は報知情報等）を利用してＵＥに設定してもよい。ＵＥは、上位レイヤシグナリング（例えば、上位レイヤパラメータ（n-TimingAdvanceOffset））でＴＡオフセットが設定されない場合、所定のＴＡオフセット（デフォルトＴＡオフセット）を適用してＵＬ送信を制御してもよい。所定のＴＡオフセットは、あらかじめ仕様で定められた値としてもよい。
【００２１】
ＴＡオフセットは、複数のＴＲＰに共通に設定される構成（ＴＡ制御１）としてもよいし、所定のＴＲＰ（又は、所定のＴＲＰグループ）に設定される構成（ＴＡ制御２）としてもよい。
【００２２】
＜ＴＡ制御１＞
複数のＴＲＰ（サービングＴＲＰとも呼ぶ）に対して同一のＴＡオフセットが設定されてもよい。例えば、ＵＥは、複数のＴＲＰにおいてランダムアクセス手順（例えば、ＰＲＡＣＨ送信）がサポートされる場合、複数のＴＲＰに対して同一のＴＡオフセットが設定されると想定してもよい。この場合、ＵＥは、複数のＴＲＰに対して同一のＴＡオフセットを適用してＵＬ送信を制御する。
【００２３】
ＴＡオフセットは、各ＴＲＰに対してそれぞれ上位レイヤパラメータで設定されてもよいし、所定のＴＲＰにのみ上位レイヤパラメータで設定されてもよい。所定のＴＲＰにのみＴＡオフセットが上位レイヤパラメータで設定された場合、ＵＥは、他のＴＲＰについても同じＴＡオフセットが設定されると想定してＵＬ送信を制御してもよい。
【００２４】
あるいは、ＴＡオフセットが上位レイヤパラメータで設定されない場合、ＵＥは複数のＴＲＰに所定のＴＲＰオフセット（デフォルトのＴＲＰオフセット）が適用されると想定してもよい。
【００２５】
このように、複数のＴＲＰに対して同一のＴＡオフセットを適用することにより、複数のＴＲＰを適用する構成においてタイミングアドバンスの制御を簡略化することができる。特に、各ＴＲＰとＵＥとの距離の差が小さい場合には、各ＴＲＰに対して同一のＴＡオフセットを設定してＵＬ送信を制御することが有効となる。
【００２６】
あるいは、ランダムアクセス手順が複数のＴＲＰのうち所定のＴＲＰ（例えば、１つのＴＲＰのみ）にサポートされる場合、当該所定のＴＲＰに対してのみＴＡオフセットが設定されてもよい。
【００２７】
例えば、ＵＥは、所定のＴＲＰにおいてランダムアクセス手順がサポートされる場合、当該所定のＴＲＰに対してのみＴＡオフセットが設定されると想定してもよい。この場合、ＵＥは、所定のＴＲＰに対してＴＡオフセットを適用してＵＬ送信を制御する。所定のＴＲＰは、初期アクセス（initial  access）に利用されるＴＲＰであってもよい。
【００２８】
＜ＴＡ制御２＞
複数のサービングＴＲＰのうち所定のＴＲＰ（例えば、１つのＴＲＰ）に対してＴＡオフセット（例えば、NTA_offset）が設定される構成としてもよい。この場合、ＵＥは、所定のＴＲＰへのＵＬ送信についてＴＡオフセットに基づいてＴＡ値を決定し、他のＴＲＰへのＵＬ送信について所定ＴＲＰと異なるＴＡ値を適用してもよい。
【００２９】
所定のＴＲＰは、例えば、衝突型（Contention-based）のＰＲＡＣＨ送信を行うＴＲＰであってもよいし、初期アクセスに利用するＴＲＰであってもよい。他のＴＲＰは、例えば、非衝突型（Contention-free）のＰＲＡＣＨ送信をサポートするＴＲＰであってもよい。もちろん、所定のＴＲＰ及び他のＴＲＰの種別はこれに限られない。
【００３０】
他のＴＲＰのＴＡ値は、所定のＴＲＰに設定されるＴＡオフセット（例えば、第１のオフセット）からのオフセット（例えば、第２のオフセット）に基づいて決定してもよい。第２のオフセットは、ＴＲＰ（又は、ＴＲＰグループ）毎に決定されるＴＲＰ（又は、ＴＲＰグループ）固有のオフセットであってもよい。
【００３１】
ＵＥは、所定のＴＲＰに対してＴＡオフセット（第１のオフセット）に基づいてＴＡ値を決定してＵＬ送信タイミングを制御する。なお、所定のＴＲＰに対しては第２のオフセット（以下、ＴＲＰオフセット（TRP_offset）とも呼ぶ）が０であると想定してもよい。一方で、ＵＥは、他のＴＲＰに対してＴＡオフセットと、各ＴＲＰに対応するＴＲＰオフセットとに基づいてＴＡ値を決定してＵＬ送信タイミングを制御してもよい。
【００３２】
図２では、ＴＲＰ＃１に対してＴＡオフセットが設定され、ＴＲＰ＃２に対してＴＲＰオフセットが設定される場合を示している。ＵＥは、ＴＡオフセットに基づいてＴＲＰ＃１へのＵＬ送信タイミングを制御する。また、ＵＥは、ＴＡオフセットとＴＲＰオフセットに基づいてＴＲＰ＃２へのＵＬ送信タイミングを制御する。
【００３３】
各ＴＲＰ（又は、ＴＲＰグループ）に対応するＴＲＰオフセットは、ネットワーク（例えば、基地局）から上位レイヤシグナリングを利用してＵＥに設定されてもよい。ＵＥは、基地局から設定されたＴＲＰオフセットに基づいて、各ＴＲＰのＴＡ値を決定する。このように、他のＴＲＰについて所定ＴＲＰのＴＡオフセットからのオフセットに基づいてＴＡ値を決定することにより通知するビット数の増加を抑制することができる。
【００３４】
あるいは、各ＴＲＰに対応するＴＲＰオフセットをＵＥ側で決定してもよい。ＵＥは、所定条件に基づいて各ＴＲＰに対応するＴＲＰオフセット（又は、ＴＡ値）を決定し、各ＴＲＰへのＵＬ送信タイミングを制御してもよい。
【００３５】
複数のＴＲＰオフセットの値は、あらかじめ仕様で定義されてもよい。例えば、ＴＲＰ（ＴＲＰインデックス）毎に固有のＴＲＰオフセットが対応付けられてもよい。また、ＴＲＰオフセット値に関する情報は、ネットワークからＵＥに設定されてもよい。
【００３６】
あるいは、他のＴＲＰに対して、ＴＲＰオフセットでなくタイミングアドバンスに利用するＴＡ値を設定してもよい。この場合、各ＴＲＰに対応するＴＡ値に関する情報を基地局からＵＥに上位レイヤシグナリングを利用して設定してもよい。また、他のＴＲＰに対して、所定のＴＲＰのＴＡ値からのオフセットを設定してＵＥに通知してもよい。
【００３７】
（第２の態様）
第２の態様では、所定のＵＬ送信（例えば、ＰＵＳＣＨ、ＳＲＳ及びＰＵＳＣＨの少なくとも一つ）に対するタイミングアドバンス調整（TA  adjustment）、又はＵＬ時間調整（UL  time  alignment）を利用したＵＬ送信制御について説明する。以下の説明では、タイミングアドバンスコマンド（TA  command）をＭＡＣ制御要素（例えば、ＭＡＣ  ＣＥ）を利用して送信する場合を例に挙げるが、これに限られない。
【００３８】
ＴＡコマンドは、上りチャネルの送信タイミング値を示すコマンドであり、ＭＡＣ制御要素に含まれる。ＴＡコマンドは、無線基地局からユーザ端末に対してＭＡＣレイヤでシグナリングされる。ＵＥは、ＴＡコマンドの受信に基づいて所定タイマ（例えば、ＴＡタイマ）を制御する。
【００３９】
ＴＡタイマは、ＴＡコマンドを含むＭＡＣ制御要素が受信されない時間、換言すれば、ＴＡコマンドを含むＭＡＣ制御要素が受信されてからの時間を計測するタイマである。ＴＡタイマが満了すると（ＴＡタイマによって計測される時間が所定時間以上継続すると）、ユーザ端末用に確保された上りリソースが解放され、上りチャネルの送信が停止される。
【００４０】
なお、ＴＡタイマは、ＴＡコマンドを受信する毎に開始される（初期化される）。ＵＥは、ＴＡタイマが満了していないセルに対してＵＬ送信（ＰＵＣＣＨ、ＰＵＳＣＨ、上り測定用参照信号（ＳＲＳ）等の送信）を行うことができる。一方で、ＵＥは、ＴＡタイマが満了したセルに対しては、ランダムアクセスプリアンブル（ＰＲＡＣＨ）以外のＵＬ送信が制限される。
【００４１】
つまり、ＵＥは、設定されたＴＡタイマに基づいて各ＴＲＰにおけるＵＬ送信を制御し、ＴＡタイマが満了したセルに対してＰＲＡＣＨ以外の送信を行わない。既存のＬＴＥシステムでは、ＴＡタイマが設定されたＵＥは、所定時間単位（例えば、サブフレーム又はスロット）毎にＴＡタイマのカウントを行う。
【００４２】
ＵＥは、あらかじめ設定されたタイミングアドバンスグループ（ＴＡＧ：Timing  Advance  Group）毎に、タイミングアドバンス（マルチプルタイミングアドバンス）を適用してＵＬ送信のタイミング制御を行ってもよい。
【００４３】
マルチプルタイミングアドバンスを適用する場合、送信タイミングで分類されるタイミングアドバンスグループ（ＴＡＧ：Timing  Advance  Group）をサポートする。ＵＥは、ＴＡＧ毎に同じＴＡオフセット（又は、ＴＡ値）が適用されると想定して各ＴＡＧにおけるＵＬ送信タイミングを制御してもよい。つまり、ＴＡオフセットは、ＴＡＧ毎にそれぞれ独立して設定されてもよい。
【００４４】
このように、マルチプルタイミングアドバンスを適用する場合、ＵＥが各ＴＡＧに属するＴＲＰの送信タイミングを独立に調整することにより、無線基地局でのＵＥからの上りリンク信号受信タイミングを合わせることができる。
【００４５】
ＴＡＧが設定される場合、各ＴＡＧに対するＴＲＰの設定又は各ＴＡＧにおけるタイマ（例えば、ＴＡタイマ）制御として、以下のＴＡ制御３−６のいずれかを適用してもよい。
【００４６】
＜ＴＡ制御３＞
ＴＲＰ（又は、ＴＲＰグループ）毎に異なるＴＡＧが設定されてもよい。各ＴＲＰ（又は、ＤＭＲＳポートグループ、コードワード（ＣＷ）、ＰＤＣＣＨ構成（例えば、PDCCH-config）、ＰＤＳＣＨ構成（PDSCH-config）、サービングセル構成（ServingCellConfig）のいずれか）とＴＡＧとの対応関係に関する情報は、ネットワーク（例えば、基地局）からＵＥに上位レイヤシグナリングにより設定されてもよい。
【００４７】
例えば、基地局は、ＴＲＰ＃１とＴＡＧ＃０が対応し、ＴＲＰ＃２とＴＡＧ＃１が対応している旨の情報を上位レイヤシグナリング等を利用してＵＥに通知する。ＵＥは、基地局からの情報に基づいて各ＴＲＰが属するＴＡＧを判断してもよい。
【００４８】
また、基地局は、ＴＡコマンドの指示に利用するＭＡＣ制御要素にＴＡＧ  ＩＤを含めてＵＥに通知する（図３参照）。この場合、ＵＥは、ＴＡコマンドを通知するＭＡＣ制御要素に含まれるＴＡＧ  ＩＤに対応づけられたＴＲＰに対して当該ＴＡコマンドを適用する。ここでは、ＴＡＧ  ＩＤ＝０とＴＲＰ＃１が対応し、ＴＡＧ  ＩＤ＝１とＴＲＰ＃２が対応する場合を示している。
【００４９】
例えば、ＵＥは、ＴＡコマンド用のＭＡＣ制御要素を受信した場合、指定されたＴＡＧに対応するＴＲＰにおけるＵＬ送信（例えば、ＰＵＣＣＨ、ＰＵＳＣＨ及びＳＲＳの少なくとも一つ）のタイミングを調整する。
【００５０】
また、ＴＡＧ毎にＵＬ送信の時間調整（UL  time  alignment）用のＴＡタイマ（例えば、timeAlignmentTimer）を独立に制御してもよい。例えば、ＵＥは、ＴＡＧ（又は、ＴＲＰ）毎にＴＡタイマを設定して制御する。つまり、ＵＥは、異なるＴＡＧ（又は、ＴＲＰ）に対して異なるＴＡタイマを設定することが許容される。
【００５１】
このように、ＴＡＧ毎にＴＲＰをそれぞれ対応づけてタイミングアドバンスを行うことにより、ＵＬの送信制御（例えば、送信タイミング、タイマ制御等）をＴＲＰ毎に柔軟に行うことが可能となる。
【００５２】
＜ＴＡ制御４＞
複数のＴＲＰに対して同一のＴＡＧが設定されてもよい。つまり、基地局は、複数のＴＲＰが同一のＴＡＧに属するように設定してもよい。当該複数のＴＲＰが属する所定のＴＡＧに関する情報は、ネットワーク（例えば、基地局）からＵＥに上位レイヤシグナリングにより設定されてもよい。
【００５３】
例えば、基地局は、複数のＴＲＰと関連する所定のＴＡＧに関する情報を上位レイヤシグナリング等を利用してＵＥに通知する。ＵＥは、基地局からの情報に基づいて複数のＴＲＰが属する所定のＴＡＧを判断してもよい。
【００５４】
また、基地局は、ＴＡコマンドの指示に利用するＭＡＣ制御要素にＴＡＧ  ＩＤを含め、所定ＴＲＰにおいてＵＥに通知する。例えば、ＵＥは、複数のＴＲＰのうち所定ＴＲＰ（例えば、１つのＴＲＰ）に当該ＭＡＣ制御要素を適用してもよい。所定のＴＲＰは、ＴＲＰインデックスが最小又は最大となるＴＲＰであってもよいし、衝突型のＰＲＡＣＨ送信をサポートするＴＲＰであってもよい。
【００５５】
他のＴＲＰに対しては当該ＭＡＣ制御要素（又は、ＴＡコマンド）を適用しない構成としてもよい。基地局は、ＭＡＣ制御要素に当該ＭＡＣ制御要素を適用するＴＲＰに関する情報を含めて送信してもよい。また、基地局は、複数のＴＲＰのうち所定ＴＲＰ（例えば、１つのＴＲＰ）のみを利用してＭＡＣ制御要素をＵＥに送信してもよい。
【００５６】
例えば、ＵＥは、所定のＴＲＰに対するＴＡコマンド用のＭＡＣ制御要素を受信した場合、指定されたＴＡＧに含まれるＴＲＰへのＵＬ送信（例えば、ＰＵＣＣＨ、ＰＵＳＣＨ及びＳＲＳの少なくとも一つ）のタイミングを調整する。
【００５７】
また、ＴＡＧ毎にＵＬ送信の時間調整（UL  time  alignment）用のＴＡタイマ（例えば、timeAlignmentTimer）を同一ＴＡＧに含まれる複数のＴＲＰに対して共通に制御してもよい。つまり、複数のＴＲＰのＵＬ時間調整用のタイマとして１つのタイマを適用する。これにより、複数のＴＲＰのＵＬ時間調整を共通に制御（例えば、複数ＴＲＰのタイマが同時に継続、又は同時に停止するように制御）できるため、ＵＥ動作を簡略化することができる。
【００５８】
あるいは、ＴＡＧ毎にＵＬ送信の時間調整（UL  time  alignment）用のＴＡタイマ（例えば、timeAlignmentTimer）を同一ＴＡＧに含まれる複数のＴＲＰ毎に独立して制御してもよい。
【００５９】
［ＴＡオフセット］
また、同一のＴＡＧに含まれる複数のＴＲＰのうち所定のＴＲＰ（例えば、１つのＴＲＰ）に対してＴＡオフセット（例えば、NTA_offset）が設定されてもよい。この場合、ＵＥは、所定のＴＲＰ（例えば、ＴＲＰ＃１）へのＵＬ送信についてＴＡオフセットに基づいてＴＡ値（例えば、TA_TRP#1）を決定し、他のＴＲＰ（例えば、ＴＲＰ＃２）へのＵＬ送信について所定ＴＲＰと異なるＴＡ値を適用してもよい（図４参照）。
【００６０】
他のＴＲＰのＴＡ値は、所定のＴＲＰに設定されるＴＡオフセット（又は、所定ＴＲＰに適用するＴＡ値）からの第２のオフセットに基づいて決定してもよい。第２のオフセットは、ＴＲＰ（又は、ＴＲＰグループ）毎に決定されるＴＲＰ（又は、ＴＲＰグループ）固有のオフセットであってもよい。
【００６１】
ＵＥは、所定のＴＲＰに対して所定のオフセット（例えば、ＴＡオフセット）に基づいてＴＡ値を決定してＵＬ送信タイミングを制御する。なお、所定のＴＲＰに対しては第２のオフセット（以下、ＴＲＰオフセット（TRP_offset）とも呼ぶ）が０であると想定してもよい。一方で、ＵＥは、他のＴＲＰに対してＴＡオフセットと、各ＴＲＰに対応するＴＲＰオフセットとに基づいてＴＡ値を決定してＵＬ送信タイミングを制御してもよい。
【００６２】
各ＴＲＰ（又は、ＴＲＰグループ）に対応するＴＲＰオフセットは、ネットワーク（例えば、基地局）から上位レイヤシグナリングを利用してＵＥに設定されてもよい。ＵＥは、基地局から設定されたＴＲＰオフセットに基づいて、各ＴＲＰのＴＡ値を決定する。このように、他のＴＲＰについて所定ＴＲＰのＴＡオフセットからのオフセットに基づいてＴＡ値を決定することにより通知するビット数の増加を抑制することができる。
【００６３】
あるいは、各ＴＲＰに対応するＴＲＰオフセットをＵＥ側で決定してもよい。ＵＥは、所定条件に基づいて各ＴＲＰに対応するＴＲＰオフセット（又は、ＴＡ値）を決定し、各ＴＲＰへのＵＬ送信タイミングを制御してもよい。
【００６４】
複数のＴＲＰオフセットの値は、あらかじめ仕様で定義されてもよい。例えば、ＴＲＰ（ＴＲＰインデックス）毎に固有のＴＲＰオフセットが対応付けられてもよい。また、ＴＲＰオフセット値に関する情報は、ネットワークからＵＥに設定されてもよい。
【００６５】
あるいは、他のＴＲＰに対して、ＴＲＰオフセットでなくタイミングアドバンスに利用するＴＡ値を設定してもよい。この場合、各ＴＲＰに対応するＴＡ値に関する情報を基地局からＵＥに上位レイヤシグナリングを利用して設定してもよい。
【００６６】
あるいは、複数のＴＲＰ（サービングＴＲＰとも呼ぶ）に対して同一のＴＡオフセットが設定されてもよい。
【００６７】
ＵＥは、ＴＡ制御１とＴＡ制御４、又はＴＡ制御２とＴＡ制御４を組み合わせて適用してもよい。
【００６８】
＜ＴＡ制御５＞
ＴＡ制御５では、複数のＴＲＰに対して同一のＴＡＧが設定される（又は、複数のＴＲＰが同じＴＡＧに属する）構成において、基地局から送信されるＴＡコマンド用のＭＡＣ制御要素を複数のＴＲＰに対して適用する。つまり、ＵＥは、ＴＡコマンド用のＭＡＣ制御要素を受信した場合、ＭＡＣ制御要素で指定される所定のＴＡＧに含まれる１以上のＴＲＰに対してＴＡコマンドを適用する。
【００６９】
これにより、同一ＴＡＧに含まれる１以上のＴＲＰに対するＴＡコマンドを１つのＭＡＣ制御要素を利用して通知することができる。
【００７０】
なお、ＴＡコマンド用のＭＡＣ制御要素の送信以外の動作は、ＴＡ制御４で示したいずれかの動作を適用してもよい。
【００７１】
ＵＥは、ＴＡ制御１とＴＡ制御５、又はＴＡ制御２とＴＡ制御５を組み合わせて適用してもよい。
【００７２】
＜ＴＡ制御６＞
ＴＡ制御６では、複数のＴＲＰに対して同一のＴＡＧが設定される（又は、複数のＴＲＰが同じＴＡＧに属する）構成において、基地局から送信されるＴＡコマンド用のＭＡＣ制御要素を、当該ＭＡＣ制御要素が送信されるＴＲＰに対して適用する。つまり、ＵＥは、ＴＡコマンド用のＭＡＣ制御要素を受信した場合、当該ＭＡＣ制御要素を受信したＴＲＰに対してＴＡコマンドを適用する（図５参照）。
【００７３】
ＵＥは、ＴＡコマンドが含まれるＭＡＣ制御要素をＴＲＰ＃１で受信した場合、当該ＴＡコマンドをＴＲＰ＃１のＵＬ送信（例えば、ＰＵＳＣＨ、ＰＵＣＣＨ及びＳＲＳの少なくとも一つ）に適用する。また、ＵＥは、ＴＡコマンドが含まれるＭＡＣ制御要素をＴＲＰ＃２で受信した場合、当該ＴＡコマンドをＴＲＰ＃２のＵＬ送信に適用する。
【００７４】
また、ＵＥは、ＴＡＧに含まれる複数のＴＲＰに対して、ＵＬ時間調整用の所定タイマ（例えば、timeAlignmentTimer）をそれぞれ独立して制御してもよい。
【００７５】
なお、ＴＡコマンド用のＭＡＣ制御要素の送信、タイマ制御以外の動作は、ＴＡ制御４で示したいずれかの動作を適用してもよい。
【００７６】
＜ＴＡコマンド通知＞
上記説明では、各ＴＡＧに対応するＴＲＰに関する情報を上位レイヤシグナリングで通知する場合を示したが、これに限られない。ＴＡコマンドの通知に利用するＭＡＣ制御要素にＴＲＰ（又は、ＤＭＲＳポートグループ、コードワード（ＣＷ）、ＰＤＣＣＨ構成（例えば、PDCCH-config）、ＰＤＳＣＨ構成（PDSCH-config）、サービングセル構成（ServingCellConfig）、サービングセルＩＤのいずれか）に関する情報を含めてもよい。例えば、ＴＡコマンド通知方法Ａ、又はＴＡコマンド通知方法Ｂを適用してもよい。
【００７７】
［ＴＡコマンド通知方法Ａ］
例えば、ＴＡコマンドが含まれるＭＡＣ制御要素において、ＴＲＰを指定するための所定ビット領域を設けてもよい（図６参照）。図６では、ＭＡＣ制御要素において、ＴＡＧ  ＩＤ通知用のビット領域、及びＴＡコマンド通知用のビット領域に加えて、ＴＲＰ通知用のビット領域を設ける場合の一例を示している。当該ＴＡコマンド通知用のビット領域は、１ビット又は２ビット以上で定義されてもよい。
【００７８】
ＵＥは、ＴＲＰ通知用のビット領域が含まれるＭＡＣ制御要素を受信した場合、ＭＡＣ制御要素に含まれるＴＡコマンドに基づいて当該ＭＡＣ制御要素で指定されるＴＲＰへのＵＬ送信タイミングを制御する。また、ＵＥは、指定されたＴＲＰと同じＴＡＧに含まれる他のＴＲＰに対してもＴＡコマンドを適用してもよい。
【００７９】
［ＴＡコマンド通知方法Ｂ］
ＴＡコマンドの通知に利用するＭＡＣ制御要素において、ＭＡＣヘッダ（又は、ＭＡＣサブヘッダ）に含まれるＬＣＩＤ（Logical  Channel  ID）を新たに定義してもよい。
【００８０】
例えば、既存のＴＡコマンド用のＭＡＣ制御要素の所定のビット領域に、ＴＲＰに関する情報を含めてもよい。例えば、ＴＡＧ  ＩＤ通知用のフィールドが、ＴＲＰ（又は、ＤＭＲＳポートグループ、コードワード（ＣＷ）、ＰＤＣＣＨ構成（例えば、PDCCH-config）、ＰＤＳＣＨ構成（PDSCH-config）、サービングセル構成（ServingCellConfig）、サービングセルＩＤのいずれか）を指定するために利用されてもよい（図７Ａ参照）。
【００８１】
あるいは、ＴＡコマンド通知用のフィールドの一部が、ＴＲＰ（又は、ＤＭＲＳポートグループ、コードワード（ＣＷ）、ＰＤＣＣＨ構成（例えば、PDCCH-config）、ＰＤＳＣＨ構成（PDSCH-config）、サービングセル構成（ServingCellConfig）、サービングセルＩＤのいずれか）を指定するために利用されてもよい（図７Ｂ参照）。
【００８２】
ここでは、ＴＲＰ指定用のフィールドとしてＴＡコマンド通知用フィールドのうち１ビット又は２ビットを利用する場合を示しているが、適用可能なビット数はこれに限られない。また、ＴＡコマンド通知用フィールドの残りのフィールドは、ＴＡコマンド通知用に利用してもよい。例えば、残りのフィールドを利用して、ＴＡコマンドを通知してもよいし、他のＴＲＰ（例えば、デフォルトＴＲＰ＃０）のＴＡコマンドに基づくＴＡコマンド（例えば、差分）を通知してもよい。
【００８３】
ＭＡＣ制御要素を利用して、ＴＡコマンドを通知するＴＲＰ等に関する情報を通知することにより、上位レイヤシグナリングを利用してＴＡＧ  ＩＤとＴＲＰとの関連情報の通知を不要とすることができる。
【００８４】
（第３の態様）
第３の態様では、所定のＵＬ送信（例えば、ＰＵＳＣＨ、ＳＲＳ及びＰＵＳＣＨの少なくとも一つ）に対するタイミングアドバンス調整（TA  adjustment）、又はＵＬ時間調整（UL  time  alignment）を利用したＵＬ送信制御について説明する。以下の説明では、タイミングアドバンスコマンド（TA  command）をランダムアクセスレスポンス（ＲＡＲ、メッセージ２とも呼ぶ）を利用して送信する場合を例に挙げるが、これに限られない。
【００８５】
ランダムアクセスレスポンス（以下、ＲＡＲとも記す）は、ランダムアクセス手順における動作の１つであり、メッセージ２とも呼ばれる。ランダムアクセス手順において、基地局は、ＵＥから送信されるＰＲＡＣＨの応答信号としてＲＡＲを送信する。
【００８６】
ＲＡＲには、タイミングアドバンスに関する情報（例えば、ＴＡコマンド）が含まれている。ＲＡＲを受信したＵＥは、当該ＲＡＲに含まれるＴＡコマンドに基づいて、ＵＬの送信タイミングを調整し、ＵＬの同期を確立する。また、ＵＥは、ＲＡＲに含まれるＵＬグラントが指定するＵＬリソースで、上位レイヤ（Ｌ２／Ｌ３：Layer  2/Layer  3）の制御メッセージを送信する（メッセージ３）。
【００８７】
タイミングアドバンスに関する情報（例えば、ＴＡコマンド）をＲＡＲに含めてＵＥに送信する場合、ＴＡコマンドの通知方法又は各ＴＲＰにおけるタイマ（例えば、ＴＡタイマ）制御として、以下のＴＡ制御７−９のいずれかを適用してもよい。
【００８８】
＜ＴＡ制御７＞
ＲＡＲに含まれるＴＡコマンドは所定のＴＲＰにのみ適用してもよい。例えば、ＵＥは、複数のＴＲＰのうち所定ＴＲＰ（例えば、１つのＴＲＰ）に当該ＴＡコマンドを適用してもよい。所定のＴＲＰは、ＴＲＰインデックスが最小又は最大となるＴＲＰであってもよいし、衝突型のＰＲＡＣＨ送信をサポートするＴＲＰであってもよい。
【００８９】
また、ＵＬ送信の時間調整（UL  time  alignment）用のＴＡタイマ（例えば、timeAlignmentTimer）を複数のＴＲＰに対して共通に制御してもよい。つまり、複数のＴＲＰのＵＬ時間調整用のタイマとして１つのタイマを適用する。これにより、複数のＴＲＰのＵＬ時間調整を共通に制御（例えば、複数ＴＲＰのタイマが同時に継続、又は同時に停止するように制御）できるため、ＵＥ動作を簡略化することができる。
【００９０】
あるいは、ＵＬ送信の時間調整（UL  time  alignment）用のＴＡタイマ（例えば、timeAlignmentTimer）を複数のＴＲＰ毎に独立して制御してもよい。
【００９１】
［ＴＡオフセット］
ＵＥは、ＴＲＰ毎に異なるＴＡ値（又は、オフセット）を適用してもよい。例えば、ＴＲＰ毎にオフセットが設定（又は、定義）される構成としてもよい。各ＴＲＰに対応するオフセットは、所定ＴＲＰのＴＡ値に対するオフセットであってもよいし、所定のＴＲＰに設定されるＴＡオフセットに対するオフセットであってもよい。
【００９２】
例えば、ＵＥは、所定のＴＲＰに対して所定のオフセット（例えば、ＴＡオフセット）に基づいてＴＡ値を決定してＵＬ送信タイミングを制御する。一方で、ＵＥは、他のＴＲＰに対してＴＡオフセットと、各ＴＲＰに対応するＴＲＰオフセットとに基づいてＴＡ値を決定してＵＬ送信タイミングを制御してもよい。
【００９３】
各ＴＲＰ（又は、ＴＲＰグループ）に対応するＴＲＰオフセットは、ネットワーク（例えば、基地局）から上位レイヤシグナリングを利用してＵＥに設定されてもよい。ＵＥは、基地局から設定されたＴＲＰオフセットに基づいて、各ＴＲＰのＴＡ値を決定する。このように、他のＴＲＰについて所定ＴＲＰのＴＡオフセットからのオフセットに基づいてＴＡ値を決定することにより通知するビット数の増加を抑制することができる。
【００９４】
あるいは、各ＴＲＰに対応するＴＲＰオフセットをＵＥ側で決定してもよい。ＵＥは、所定条件に基づいて各ＴＲＰに対応するＴＲＰオフセット（又は、ＴＡ値）を決定し、各ＴＲＰへのＵＬ送信タイミングを制御してもよい。
【００９５】
複数のＴＲＰオフセットの値は、あらかじめ仕様で定義されてもよい。例えば、ＴＲＰ（ＴＲＰインデックス）毎に固有のＴＲＰオフセットが対応付けられてもよい。また、ＴＲＰオフセット値に関する情報は、ネットワークからＵＥに設定されてもよい。
【００９６】
あるいは、他のＴＲＰに対して、ＴＲＰオフセットでなくタイミングアドバンスに利用するＴＡ値を設定してもよい。この場合、各ＴＲＰに対応するＴＡ値に関する情報を基地局からＵＥに上位レイヤシグナリングを利用して設定してもよい。
【００９７】
なお、その他のＴＡ制御に基づくＵＬ送信動作は、ＴＡ制御４で示したいずれかの動作を適用してもよい。
【００９８】
＜ＴＡ制御８＞
ＴＡ制御８では、ＴＡコマンドがＲＡＲで送信される場合に、基地局から送信されるＴＡコマンドを複数のＴＲＰに対して適用する。つまり、ＵＥは、ＲＡＲに含まれるＴＡコマンドを受信した場合、複数のＴＲＰ（例えば、サービングＴＲＰ）に対して当該ＴＡコマンドを適用する。
【００９９】
これにより、複数のＴＲＰに対するＴＡコマンドを１つのＲＡＲを利用して通知することができる。
【０１００】
なお、ＴＡコマンドの通知以外の動作は、ＴＡ制御７で示したいずれかの動作を適用してもよい。
【０１０１】
＜ＴＡ制御９＞
ＴＡ制御９では、ランダムアクセス手順において、ＰＲＡＣＨ送信に適用するタイミングアドバンス（例えば、ＴＡ値）と、メッセージ３以降のＵＬ送信（例えば、ＰＵＳＣＨ）に適用するタイミングアドバンス（例えば、ＴＡ値）を別々に制御する。
【０１０２】
ランダムアクセス手順において、第２のＴＲＰ（ＴＲＰ＃２）に対するＰＲＡＣＨ送信リクエストが他のＴＲＰ（ＴＲＰ＃１）を利用してトリガされる場合もある。ＰＲＡＣＨ送信リクエストのトリガは、上位レイヤシグナリング、及び下り制御情報（例えば、PDCCH  order）の少なくとも一方を利用してトリガされてもよい。
【０１０３】
ＵＥは、ＰＲＡＣＨ送信を行ったＴＲＰと同じＴＲＰ（例えば、ＴＲＰ＃２）において当該ＰＲＡＣＨの応答信号（ＲＡＲ）を受信すると想定してもよい。この場合、ＵＥは、ＲＡＲに含まれるＴＡコマンドに基づいてメッセージ３以降のタイミングアドバンス（例えば、ＴＡ値）を適用してＵＬ送信タイミングを制御してもよい（図８Ａ、図８Ｂ参照）。
【０１０４】
例えば、ＵＥは、ＴＲＰ＃２で送信されたＲＡＲに含まれるＴＡコマンドを当該ＴＲＰ＃２で送信するＵＬ送信（例えば、メッセージ３）に適用する。なお、ＰＲＡＣＨ送信に適用するＴＡ値とＲＡＲに含まれるＴＡコマンドに基づいて適用するＴＡ値は異なっていてもよい。
【０１０５】
図８Ａでは、ＵＥは、ＴＲＰ＃２に対するＰＲＡＣＨ送信リクエストをＴＲＰ＃１において受信した場合、所定のＴＡ値を適用してＰＲＡＣＨをＴＲＰ＃２に送信する。所定のＴＡ値は、上位レイヤパラメータで通知されるＴＡオフセット（例えば、NTA_offset）に基づいて決定されてもよい。また、上位レイヤパラメータでＴＡオフセットが通知されない場合には、あらかじめ定義されたデフォルトのＴＡオフセットを適用してもよい。なお、ＰＲＡＣＨ送信におけるＴＡオフセットは、複数のＴＲＰに対して共通に設定されてもよい（例えば、ＴＡ制御１参照）。
【０１０６】
ＵＥは、ＴＲＰ＃２においてＰＲＡＣＨを送信した場合、当該ＰＲＡＣＨに対するＲＡＲをＴＲＰ＃２で受信するように制御してもよい。また、ＵＥは、ＴＲＰ＃２でＲＡＲを受信した場合、当該ＲＡＲに含まれるタイミングアドバンスに関する情報（例えば、ＴＡコマンド）に基づいて、メッセージ３又はメッセージ３以降のＴＲＰ＃２におけるＵＬ送信のタイミングを制御する（図８Ｂ参照）。同様に、ＵＥは、ＴＲＰ＃１に対するＵＬ送信タイミングについて、当該ＴＲＰ＃１で受信したＲＡＲに含まれるタイミングアドバンスに関する情報に基づいて制御してもよい。
【０１０７】
このように、ＲＡＲに含まれる情報に基づいてＵＬ送信タイミングを制御することにより、メッセージ３以降のＵＬ送信タイミングを適切に制御することができる。また、ＲＡＲに含まれるＴＡ情報を当該ＲＡＲが送信されたＴＲＰに適用する構成とすることにより、ＴＡ情報とＴＲＰの関連付けの通知を不要とすることができる。
【０１０８】
（バリエーション）
上記第１の態様−第３の態様に対して、以下の構成を適宜適用してもよい。
【０１０９】
＜上位レイヤによる動作設定＞
複数のＴＲＰとの通信がサポートされるＵＥに対して、複数のＵＬ送信についてシングルタイミングアドバンスとマルチプルタイミングアドバンスのいずれかを適用するかについて上位レイヤシグナリングで設定してもよい。
【０１１０】
あるいは、複数のＴＲＰとの通信がサポートされるＵＥに対して、同じセル（又はＣＣ）において他のＴＲＰに対する衝突型ランダムアクセスの設定（又は、サポート有無）を上位レイヤシグナリングで設定してもよい。
【０１１１】
タイミングアドバンスに関する情報（例えば、ＴＡコマンド）が、１つのＴＲＰに適用されるか、複数のＴＲＰに適用されるかについて上位レイヤシグナリングでＵＥに設定してもよい。
【０１１２】
＜ＴＲＰに対する各種対応づけ＞
ＴＲＰ  ＩＤ（又は、ＤＭＲＳポートグループ、コードワード（ＣＷ）、ＰＤＣＣＨ構成（例えば、PDCCH-config）、ＰＤＳＣＨ構成（PDSCH-config）、サービングセル構成（ServingCellConfig）、サービングセルＩＤのいずれか）と所定の構成との対応に関する情報をＵＥに上位レイヤシグナリング等を利用して通知してもよい。所定の構成は、ＰＲＡＣＨ構成（例えば、RACH  configuration）、ＳＳＢ構成（例えば、SSB  configuration）、ＣＳＩ−ＲＳ構成（例えば、CSI-RS  configuration）、ＣＯＲＥＳＥＴ構成（例えば、CORESET  configuration）、ＰＤＣＣＨ構成（例えば、PDCCH-configuration）、ＰＤＳＣＨ構成（例えば、PDSCH  configuration）、ＰＵＣＣＨ構成（例えば、PUCCH-configuration）、ＰＵＳＣＨ構成（PUSCH-configuration）の少なくとも一つであってもよい。
【０１１３】
例えば、ＰＲＡＣＨ構成（ＳＳＢ及びＣＳＩ−ＲＳの少なくとも一方と、ＰＲＡＣＨリソース及びプリアンブルの少なくとも一方と、の関連）に対して、ＴＲＰ  ＩＤをＵＥに通知してもよい。
【０１１４】
また、ＴＲＰ  ＩＤとＣＯＲＥＳＥＴ構成の対応付けに関する情報を上位レイヤシグナリングを利用してＵＥに設定してもよい。ＴＲＰ  ＩＤとＰＤＣＣＨ構成の対応付けに関する情報を上位レイヤシグナリングを利用してＵＥに設定してもよい。
【０１１５】
これにより、ＵＥは、各ＴＲＰに対応するＳＳＢ構成（例えば、所定インデックスのＳＳＢがどのＴＲＰから送信されるか）を適切に把握することができる。
【０１１６】
＜複数ＴＲＰとＳＳＢの送信方法＞
本実施の形態は、１以上のＴＲＰからＵＥにＤＬ信号（例えば、ＳＳＢ）が送信される構成であってもよい。例えば、本実施の形態は、以下の構成１−構成３の少なくともいずれかに適用可能である。
【０１１７】
［構成１］
複数のＴＲＰが同じＳＳＢ（例えば、インデックスが同じＳＳＢ）をＵＥに送信する。例えば、インデックスが異なる複数のＴＲＰからそれぞれＳＳＢ＃０−＃７の送信が許容される。
【０１１８】
［構成２］
複数のＴＲＰが異なるＳＳＢ（例えば、インデックスが同じＳＳＢ）をＵＥに送信する。例えば、インデックスが異なる複数のＴＲＰの１つ（例えば、ＴＲＰ＃１）からＳＳＢ＃０−＃３が送信され、他の１つのＴＲＰ（例えば、ＴＲＰ＃２）からＳＳＢ＃４−＃７がそれぞれ送信される。つまり、インデックスが異なるＴＲＰからは異なるＳＳＢが送信される。
【０１１９】
［構成３］
複数のＴＲＰをサポートする場合であっても、ＳＳＢの送信は所定のＴＲＰ（例えば、１つのＴＲＰ）からのみ送信する。例えば、ＵＥが複数ＴＲＰ（例えば、ＴＲＰ＃１とＴＲＰ＃２）との通信をサポートする場合であっても、所定のＴＲＰ（例えば、ＴＲＰ＃１）からのみＳＳＢ＃０−＃７が送信される。
【０１２０】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１２１】
図９は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０１２２】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１２３】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１２４】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１２５】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１２６】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１２７】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１２８】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１２９】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１３０】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１３１】
ユーザ端末２０は、ＬＴＥ、ＬＴＥ−Ａ、５Ｇなどの通信方式の少なくとも１つに対応した端末であってもよい。
【０１３２】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１３３】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１３４】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１３５】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１３６】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１３７】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１３８】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１３９】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１４０】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１４１】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１４２】
なお、本開示において下りリンク、上りリンクなどは「リンク」を付けずに表現されてもよい。また、各種チャネルの先頭に「物理（Physical）」を付けずに表現されてもよい。
【０１４３】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１４４】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１４５】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１４６】
（基地局）
図１０は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１４７】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１４８】
制御部１１０は、基地局１０全体の制御を実施する。制御部１１０は、本開示に係る技術分野での共通認識に基づいて説明されるコントローラ、制御回路などから構成することができる。
【０１４９】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１５０】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１５１】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１５２】
送受信アンテナ１３０は、本開示に係る技術分野での共通認識に基づいて説明されるアンテナ、例えばアレイアンテナなどから構成することができる。
【０１５３】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１５４】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１５５】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１５６】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１５７】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１５８】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１５９】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１６０】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１６１】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１６２】
なお、本開示における基地局１０の送信部及び受信部は、送受信部１２０、送受信アンテナ１３０及び伝送路インターフェース１４０の少なくとも１つによって構成されてもよい。
【０１６３】
なお、送受信部１２０は、タイミングアドバンスに関する情報を送信してもよい。タイミングアドバンスに関する情報は、第１のオフセット（例えば、ＴＡオフセット）、第２のオフセット（例えば、ＴＲＰオフセット）、及び他のオフセット（例えば、所定のＴＲＰのＴＡ値からのオフセット）に関する情報の少なくとも一つであってもよい。
【０１６４】
送受信部１２０は、所定のタイミングアドバンス（例えば、ＴＡ値）が適用されたＵＬ送信を受信してもよい。また、送受信部１２０は、ＴＲＰとＴＡＧとの対応関係を示す情報を送信してもよい。
【０１６５】
制御部１１０は、複数のＴＲＰに対応するＴＡＧを決定してもよい。また、制御部１１０は、複数のＴＲＰに対するＴＡコマンドの送信方法及びタイムアライメントタイマの設定の少なくとも一つを制御してもよい。
【０１６６】
各ＴＲＰは、同じ周波数領域を適用する（例えば、同じＣＣに属する）構成であってもよいし、異なる周波数領域を適用する（例えば、異なるＣＣに属する）構成であってもよい。
【０１６７】
（ユーザ端末）
図１１は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１６８】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１６９】
制御部２１０は、ユーザ端末２０全体の制御を実施する。制御部２１０は、本開示に係る技術分野での共通認識に基づいて説明されるコントローラ、制御回路などから構成することができる。
【０１７０】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１７１】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１７２】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１７３】
送受信アンテナ２３０は、本開示に係る技術分野での共通認識に基づいて説明されるアンテナ、例えばアレイアンテナなどから構成することができる。
【０１７４】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１７５】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１７６】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１７７】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１７８】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１７９】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１８０】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１８１】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１８２】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１８３】
なお、本開示におけるユーザ端末２０の送信部及び受信部は、送受信部２２０、送受信アンテナ２３０及び伝送路インターフェース２４０の少なくとも１つによって構成されてもよい。
【０１８４】
なお、送受信部２２０は、タイミングアドバンスを適用してＵＬ送信を行う。また、送受信部２２０は、タイミングアドバンスに関する情報を受信してもよい。タイミングアドバンスに関する情報は、第１のオフセット（例えば、ＴＡオフセット）、第２のオフセット（例えば、ＴＲＰオフセット）、及び他のオフセット（例えば、所定のＴＲＰのＴＡ値からのオフセット）に関する情報の少なくとも一つであってもよい。
【０１８５】
送受信部２２０は、所定のタイミングアドバンス（例えば、ＴＡ値）が適用されたＵＬ送信を送信してもよい。また、送受信部２２０は、ＴＲＰとＴＡＧとの対応関係を示す情報を受信してもよい。
【０１８６】
制御部２１０は、複数の送受信ポイントに対してＵＬ送信を行う場合、タイミングアドバンス用に設定される第１のオフセットと送受信ポイント毎に設定される第２のオフセットに基づいて、各送受信ポイントに対するＵＬ送信に適用するタイミングアドバンスを決定してもよい。
【０１８７】
送受信ポイント毎にタイミングアドバンスグループが設定され、第１のオフセットはタイミングアドバンスグループ毎に設定されてもよい。制御部２１０は、同一のタイミングアドバンスグループに含まれる複数の送受信ポイントに対して異なるタイミングアドバンスの適用が許容（サポート）されてもよい。
【０１８８】
また、制御部２１０は、複数の送受信ポイントに対して共通のタイミングアドバンスコマンド及び共通のタイムアライメント用のタイマの少なくとも一つを適用してもよい。あるいは、制御部２１０は、複数の送受信ポイント毎に異なるタイミングアドバンスコマンド及び異なるタイムアライメント用のタイマの少なくとも一つを適用してもよい。
【０１８９】
各ＴＲＰは、同じ周波数領域を適用する（例えば、同じＣＣに属する）構成であってもよいし、異なる周波数領域を適用する（例えば、異なるＣＣに属する）構成であってもよい。
【０１９０】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１９１】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１９２】
例えば、本開示の一実施形態における基地局、ユーザ端末などは、本開示の無線通信方法の処理を行うコンピュータとして機能してもよい。図１２は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９３】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１９４】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１９５】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１９６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０１９７】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１９８】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１９９】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２００】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２０１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０２０２】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０３】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０４】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０２０５】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２０６】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２０７】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０２０８】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２０９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２１０】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１１】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２１２】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２１３】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１４】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２１５】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１６】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２１７】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２１８】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０２１９】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０２２０】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２２１】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０２２２】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２２３】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０２２４】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２２５】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２２６】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２７】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２２８】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２２９】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２３０】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２３１】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２３２】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２３３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２３４】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２３５】
本開示において使用する「システム」及び「ネットワーク」という用語は、互換的に使用され得る。「ネットワーク」は、ネットワークに含まれる装置（例えば、基地局）のことを意味してもよい。
【０２３６】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２３７】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２３８】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２３９】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２４０】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４１】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２４２】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２４３】
同様に、本開示におけるユーザ端末は、基地局で読み替えてもよい。この場合、上述のユーザ端末２０が有する機能を基地局１０が有する構成としてもよい。
【０２４４】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２４５】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２４６】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２４７】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４８】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２４９】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２５０】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２５１】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５２】
また、「判断（決定）」は、「想定する（assuming）」、「期待する（expecting）」、「みなす（considering）」などで読み替えられてもよい。
【０２５３】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２５４】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２５５】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２５６】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２５７】
本開示において、例えば、英語でのa,  an及びtheのように、翻訳によって冠詞が追加された場合、本開示は、これらの冠詞の後に続く名詞が複数形であることを含んでもよい。
【０２５８】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020121497.tif 000003
【図２】
2020121497.tif 000004
【図３】
2020121497.tif 000005
【図４】
2020121497.tif 000006
【図５】
2020121497.tif 000007
【図６】
2020121497.tif 000008
【図７】
2020121497.tif 000009
【図８】
2020121497.tif 000010
【図９】
2020121497.tif 000011
【図１０】
2020121497.tif 000012
【図１１】
2020121497.tif 000013
【図１２】
2020121497.tif 000014
【国際調査報告】
2020121497.tif 000015
2020121497.tif 000016
2020121497.tif 000017